(57)【要約】      （修正有）【課題】通常の筆記は基より、切手や印紙等の粘着面に液体を付着させることができ、また書籍や新聞等の紙めくり作業、さらにはスーパーのレジ袋等の開封操作を容易に実施することができる筆記具を提供する。【解決手段】本体部２と、本体部２に装着されたクリップ３を備えた筆記具１において、筆記具１に指滑止具１０を装着する。また指滑止具１０は、容器本体１１と、容器本体１１に収納された保水材または滑止材とからなり、指滑止具１０は、クリップ３や本体部２の頂部５に装着されている。【選択図】図１
0003197133.tif 000002
【実用新案登録請求の範囲】
【請求項１】
本体部と、本体部に装着されたクリップを備えた筆記具において、前記筆記具に、指滑止具を装着したことを特徴とする筆記具。
【請求項２】
前記指滑止具は、容器本体と、容器本体に収納された保水材とからなる請求項１記載の筆記具。
【請求項３】
前記指滑止具は、容器本体と、容器本体に収納された滑止材とからなる請求項１記載の筆記具。
【請求項４】
前記指滑止具は、クリップに装着されている請求項１乃至３の何れか一項に記載の筆記具。
【請求項５】
前記指滑止具は、本体部の頂部に装着されている請求項１乃至３のいずれか一項に記載の筆記具。
【考案の詳細な説明】
【技術分野】
【０００１】  本考案は、通常の筆記は基より、切手等の粘着面に液体を付着させることができ、さらには紙めくり作業等を容易にする筆記具に関する。
【背景技術】
【０００２】  一般的な筆記具として、ボールペンやフェルトペン、またシャープペンシルや万年筆等が汎用されている。かかる筆記具は、芯を収容する本体部と、本体部に設置されたクリップとで構成されている。
【先行技術文献】
【特許文献】
【０００３】  上記筆記具に関する従来技術として、着脱自在にしたキャップを紛失することがないようにし、しかも構造簡単で安価に提供できる印鑑付筆記具がある（例えば特許文献１参照）。
上掲特許文献１の印鑑付筆記具は、上部に印鑑を有する筆記具本体と、該印鑑を保護するために着脱自在としたキャップとからなり、該キャップを筆記具本体に紐状体で連繋してあることを特徴としている。
【特許文献１】  特開２００５−１３１９２１公報
【考案の概要】
【考案が解決しようとする課題】
【０００４】  しかしながら、上掲特許文献１の印鑑付筆記具は、キャップの紛失防止と印鑑兼用という特性に限定され、多方面における使用範囲を広げるまでには至らなかった。【０００５】  そこで本考案は上記の点に鑑み、通常の筆記は基より、切手や印紙等の粘着面に液体を付着させることができ、また書籍や新聞等の紙めくり作業、さらにはスーパーのレジ袋等の開封操作を容易に実施することができる筆記具を提供することにある。
【解決を解決するための手段】
【０００６】  上記課題を解決するため、本体部と、本体部に装着されたクリップを備えた筆記具において、前記筆記具に、指滑止具を装着したことを特徴とする。
【０００７】  前記指滑止具は、容器本体と、容器本体に収納された保水材とからなる。
【０００８】  また前記指滑止具は、容器本体と、容器本体に収納された滑止材とからなる。
【０００９】  また、前記指滑止具はクリップに装着されている。
【００１０】  さらに、前記指滑止具は本体部の頂部に装着されている。
【考案の効果】
【００１１】  前記筆記具に、容器本体に収納された保水材からなる指滑止具を装着したことにより、切手や印紙等を貼着させる際に、指先に保水材の水分を付けて粘着面を濡らすことができる。
【００１２】  また、保水材または滑止材を装着することで、書籍や新聞等の紙めくり作業やスーパーのレジ袋等の開封操作を容易に実施することができる。
【００１３】  さらには、指滑止具をクリップや本体部の頂部に装着することで、筆記作業や携帯の際に邪魔にならず高い利便性が得られる。
【図面の簡単な説明】
【００１４】
【図１】本考案の筆記具の全体図である。
【図２】前記筆記具の指滑止具を開蓋した状態を示す。
【図３】前記筆記具の使用状態を示す。
【図４】他の好適例、前記指滑止具の使用状態を示す。
【図５】他の好適例、本考案の筆記具の全体図である。
【図６】前記筆記具の滑止材を開蓋した状態を示す。
【図７】前記筆記具の使用状態を示す。
【考案を実施するための形態】
【００１５】  以下、本考案の筆記具における実施の形態を図面に基づいて説明する。
図１及び図２に示す筆記具１は、本体部２と、本体部２に装着されたクリップ３を備えている。またノック部４をノックすることで内部の芯（図示せず）を送り出すことができる。
【００１６】  また本考案の筆記具１は、ノック式の筆記具が記載されているがこれに限らず、本体部を回動させることで、内部の芯を送り出す方式のものであってもよい。さらには、図示するボールペンタイプの筆記具に限定されず、フェルトペン、シャープペンシル、万年筆等に広く適用できることは言うまでもない。
【００１７】  また特に、本考案の筆記具１には指滑止具１０が装着されている。前記指滑止具１０は、受部１２と蓋体１３とから容器本体１１と、前記容器本体１１に収容されている保水材１４とからなる。
【００１８】  前記保水材１４は、スポンジ、不織布、繊維等が好適に使用される。前記保水材１４に液体を浸透させ触れることで、図３に示すように、指先に液体を付着させることができる。なお、前記保水材１４に浸透させる液体は特に限定するものではないが、水道水が好適に使用できる。
【００１９】  前記指滑止具１０を装着した筆記具１を携帯することにより、郵便局や役所で切手や印紙等を貼着させる際、備え付けの保水具を探す手間を解消し、貼り付け作業を容易に、且つ素早く行うことができる。
【００２０】  また前記指滑止具１０は、図１及び図２に示すように、筆記具１のクリップ３に装着したり、図４に示すように本体部２の頂部５に装着したりすることができる。そのことにより筆記の際の煩わしさを解消し、さらに携帯面での利便性を高めることができる。
【００２１】  また他の好適例として、前記指滑止具１０は、図５及び図６に示すように、容器本体２０と、容器本体２０に収納された滑止材２３とで構成することができる。
【００２２】  前記容器本体２０は、受部２１と蓋体２２とからなり、前記受部２１内に滑止材２３が収容されている。また前記滑容器本体２０は、例えば図示するように、クリップ３と同様な形状とすることで、製造コスト削減や利便性向上が可能となる。なお、前記容器本体２０を筒状体（図示せず）とし、本体部２の頂部５に装着したりすることもできる。
【００２３】  前記滑止材２３の素材は特に限定されるものではないが、好ましくは市販の滑止材が用いられる。前記滑止材２３の素材としては、例えば脂肪酸ナトリウム、多価アルコール、コラーゲン、植物セラミド等を主成分として形成される。
【００２４】  前記容器本体２０に滑止材２３を収容させることで、図７に示すように、指先に滑止材２３を付着させることができ、書籍や新聞等の紙めくり作業、さらにはスーパーのレジ袋等の開封操作を容易に実施することができる。
【００２５】  上述の如く本考案の筆記具は、保水材を収容した指滑止具を装着したことにより、切手や印紙等を貼着させる際、粘着面に液体を付着させることができる。また前記筆記具に、保水材又は滑止材を収容した容器本体を装着することで、書籍や新聞等の紙めくり作業、さらにはスーパーのレジ袋等の開封操作を容易に実施することができる。
【００２６】  また、指滑止具をクリップや本体部の頂部に装着することで、筆記操作時や携帯の際に邪魔にならず高い利便性が得られる。
【符号の説明】
【００２７】１    筆記具
２    本体部
３    クリップ
４    ノック部
５    頂部
１０  指滑止具
１１  容器本体
１２  受部
１３  蓋体
１４  保水材
２０  容器本体
２１  受部
２２  蓋体
２３  滑止材
【図１】
0003197133.tif 000003
【図２】
0003197133.tif 000004
【図３】
0003197133.tif 000005
【図４】
0003197133.tif 000006
【図５】
0003197133.tif 000007
【図６】
0003197133.tif 000008
【図７】
0003197133.tif 000009